(57)【要約】【課題】透明樹脂シート及び台紙に傷を着けることなく製品を取り出すことができ、しかも、製品が重くても製品が落下することのないブリスタパックを提供する。【解決手段】ブリスタパック２を構成する透明樹脂シート１０には、その外周の上方一辺から外方向に向けて突出された突出部１４が設けられている。この突出部１４は、台紙３０を構成する表面側台紙部３２に形成された第１の切り込み４２に挿通することで、表面側台紙部３２と裏面側台紙部３４とにより挟持させる。また、透明樹脂シート１０の左右の辺には、固定片１８、１６が突設されており、その先端を、裏面側台紙部３４に形成された第２の切り込み４４に差し込むことで、表面側台紙部３２と裏面側台紙部３４との間に挟持させる。【選択図】図１
2015067344.tif 000002
【特許請求の範囲】
【請求項１】
製品を収納して陳列するためのブリスタパックであって、
前記製品の形状に対応した凹部を有する透明樹脂シートと、
前記凹部の開口を閉塞して、前記凹部に収納された製品を保護する台紙と、
を備え、
前記透明樹脂シートは、外周端縁から一方向に突出した突出部を備え、
前記台紙は、
前記透明樹脂シートの突出部を挿通するための第１の切り込みを有し、該第１の切り込みに前記突出部が挿通された状態で前記透明樹脂シートの開口を閉塞する表面側台紙部と、
前記第１の切り込みを挟んで前記透明樹脂シートの開口閉塞部分とは反対側に位置する前記表面側台紙部の端縁に、折り畳み可能に延設され、前記表面側台紙部の前記透明樹脂シートとは反対側の裏面に重なるように折り畳まれることにより、前記第１の切り込みに挿通された前記突出部を前記表面側台紙部との間で挟持する裏面側台紙部と、
を備え、前記表面側台紙部及び前記裏面側台紙部において、前記透明樹脂シートの前記突出部を挟持する部分には、吊り下げ用の孔部が設けられ、
前記透明樹脂シートの突出部には、前記表面側台紙部及び前記裏面側台紙部にて挟まれた際に前記孔部を閉塞することのないよう、前記孔部と同じか又は前記孔部よりも大きい開口が設けられていることを特徴とするブリスタパック。
【請求項２】
前記透明樹脂シートの外周端縁には、前記突出部とは異なる位置で外方向に突出され、前記台紙を挟み込むように折り曲げ可能な複数の固定片が設けられており、
前記裏面側台紙部には、前記透明樹脂シートの外周部分で前記台紙を挟み込むように折り曲げられた前記各固定片の一部を前記表面側台紙部との間に差し込むための第２の切り込みが設けられていることを特徴とする請求項１に記載のブリスタパック。
【請求項３】
前記透明樹脂シートの外周部分には、当該透明樹脂シートのシート材を前記外周端縁から前記凹部の高さ方向に所定高さだけ立設してから前記凹部の開口に向けて屈曲させた形状を有する段差部が設けられていることを特徴とする請求項１又は請求項２に記載のブリスタパック。
【請求項４】
前記透明樹脂シート及び前記台紙は矩形形状であり、
前記透明樹脂シートの四隅には、当該ブリスタパックを矩形の樹脂ケース内に収納した際、前記台紙からの高さを前記樹脂ケースの内部空間の高さと一致させる位置決め用凹部が形成されていることを特徴とする請求項１〜請求項３の何れか１項に記載のブリスタパック。
【発明の詳細な説明】
【技術分野】
【０００１】
本発明は、電気製品や文房具等の製品を収納して、店頭に陳列するのに適したブリスタパックに関する。
【背景技術】
【０００２】
従来、製品の形状に対応した凹部を有する透明樹脂シートと、凹部の開口を閉塞するよう透明樹脂シートに固定される台紙と、を備えたブリスタパックが知られている。
また、ブリスタパックには、通常、透明樹脂シートのシート面と台紙とが重なる部分に孔部が形成されている（例えば、特許文献１参照）。
【０００３】
なお、この孔部は、店頭でフックに引っ掛けることで、ブリスタパックをフックに吊り下げ、内部の製品が外から見えるように陳列するためのものである。
【先行技術文献】
【特許文献】
【０００４】
【特許文献１】実用新案登録第２５９８２３２号公報
【発明の概要】
【発明が解決しようとする課題】
【０００５】
ところで、従来のブリスタパックにおいては、透明樹脂シートと台紙との固定に、ホッチキスや熱圧着を利用するのが一般的である。しかし、このような固定方法では、固定後に製品を取り出すと、ブリスタパックに傷がつくので、客はブリスタパックから製品を取り出し確認することができない。
【０００６】
一方、この問題を防止する方法として、透明樹脂シートと台紙とに互いに係合して位置決め固定可能な係合部を設けることで、ブリスタパックに傷を付けることなく製品を取り出せるようにすることが考えられる。
【０００７】
また、製品を収納したブリスタパック自体を透明な樹脂ケースに入れることで、透明樹脂シートと台紙とをホッチキスや熱圧着等で固定することなく、店頭に陳列できるようにすることも考えられる。
【０００８】
しかし、このような対策では、製品が重い場合に、係合部が外れて、ブリスタパックから製品が落下し、製品に傷がつくとか、或いは、樹脂ケースからブリスタパックを取り出した際に、製品が落下し、製品に傷がつく、ということが考えられる。
【０００９】
本発明は、こうした問題に鑑みなされたものであり、透明樹脂シート及び台紙に傷を着けることなく製品を取り出すことができ、しかも、製品が重くても製品が落下することのないブリスタパックを提供することを目的とする。
【課題を解決するための手段】
【００１０】
かかる目的を達成するためになされた請求項１に記載の発明は、製品を収納して陳列するためのブリスタパックであって、
前記製品の形状に対応した凹部を有する透明樹脂シートと、
前記凹部の開口を閉塞して、前記凹部に収納された製品を保護する台紙と、
を備え、
前記透明樹脂シートは、外周端縁から一方向に突出した突出部を備え、
前記台紙は、
前記透明樹脂シートの突出部を挿通するための第１の切り込みを有し、該第１の切り込みに前記突出部が挿通された状態で前記透明樹脂シートの開口を閉塞する表面側台紙部と、
前記第１の切り込みを挟んで前記透明樹脂シートの開口閉塞部分とは反対側に位置する前記表面側台紙部の端縁に、折り畳み可能に延設され、前記表面側台紙部の前記透明樹脂シートとは反対側の裏面に重なるように折り畳まれることにより、前記第１の切り込みに挿通された前記突出部を前記表面側台紙部との間で挟持する裏面側台紙部と、
を備え、前記表面側台紙部及び前記裏面側台紙部において、前記透明樹脂シートの前記突出部を挟持する部分には、吊り下げ用の孔部が設けられ、
前記透明樹脂シートの突出部には、前記表面側台紙部及び前記裏面側台紙部にて挟まれた際に前記孔部を閉塞することのないよう、前記孔部と同じか又は前記孔部よりも大きい開口が設けられていることを特徴とする。
【００１１】
また、請求項２に記載の発明は、請求項１に記載のブリスタパックにおいて、
前記透明樹脂シートの外周端縁には、前記突出部とは異なる位置で外方向に突出され、前記台紙を挟み込むように折り曲げ可能な複数の固定片が設けられており、
前記裏面側台紙部には、前記透明樹脂シートの外周部分で前記台紙を挟み込むように折り曲げられた前記各固定片の一部を前記表面側台紙部との間に差し込むための第２の切り込みが設けられていることを特徴とする。
【００１２】
また、請求項３に記載の発明は、請求項１又は請求項２に記載のブリスタパックにおいて、
前記透明樹脂シートの外周部分には、当該透明樹脂シートのシート材を前記外周端縁から前記凹部の高さ方向に所定高さだけ立設してから前記凹部の開口に向けて屈曲させた形状を有する段差部が設けられていることを特徴とする。
【００１３】
また、請求項４に記載の発明は、請求項１〜請求項３の何れか１項に記載のブリスタパックにおいて、
前記透明樹脂シート及び前記台紙は矩形形状であり、
前記透明樹脂シートの四隅には、当該ブリスタパックを矩形の樹脂ケース内に収納した際、前記台紙からの高さを前記樹脂ケースの内部空間の高さと一致させる、位置決め用凹部が形成されていることを特徴とする。
【発明の効果】
【００１４】
本発明のブリスタパックにおいては、透明樹脂シートに、外周端縁から一方向に突出した突出部が設けられており、その突出部を、表面側台紙部に形成された第１の切り込みに挿通し、表面側台紙部に重なるように裏面側台紙部を折り畳むことで、これら台紙部の間で透明樹脂シートの突出部を挟持するようにされている。
【００１５】
このため、本発明のブリスタパックによれば、例えば、ブリスタパックを透明な樹脂ケースに入れて店頭に陳列するようにした際、客が樹脂ケースからブリスタパックを取り出すときに、透明樹脂シートの突出部を挟んだ台紙部分を持つようにすることで、透明樹脂シートと台紙とが離れて、製品が落下するのを防止できる。
【００１６】
また、台紙を構成する表面側台紙部及び裏面側台紙部において、透明樹脂シートの突出部を挟持する部分には、吊り下げ用の孔部が設けられており、透明樹脂シートの突出部には、表面側台紙部及び裏面側台紙部にて挟まれた際に孔部を閉塞することのないよう、孔部と同じか又は孔部よりも大きい開口が設けられている。
【００１７】
従って、本発明のブリスタパックは、ブリスタパックを透明な樹脂ケースに入れて陳列する場合であっても、或いは、ブリスタパックをそのまま陳列する場合であっても、台紙を構成する各台紙部に形成された孔部を利用してフックに吊り下げることができる。
【００１８】
そして、その吊り下げ部分では、透明樹脂シートが台紙によって挟持されることから、ブリスタパックを吊り下げたときに、凹部に製品を収納した状態で透明樹脂シートをしっかりと支持することができる。
【００１９】
ここで、樹脂ケースを利用せず、ブリスタパック単体で製品を保持できるようにするには、請求項２に記載のように、透明樹脂シートの外周端縁で突出部とは異なる位置に、台紙を挟み込むように折り曲げ可能な複数の固定片を突設し、裏面側台紙部には、その固定片の一部を表面側台紙部との間に差し込むための第２の切り込みを設けるとよい。
【００２０】
つまり、このようにすれば、透明樹脂シートの突出部を、表面側台紙部に形成された第１の切り込みに挿通することで、表面側台紙部と裏面側台紙部との間に、透明樹脂シートの突出部を挟持させた後、透明樹脂シートの複数の固定片を、それぞれ、裏面側台紙部に向けて折り曲げ、各固定片の一部を、表面側台紙部に形成された第２の切り込みを通して、表面側台紙部と裏面側台紙部との間に差し込むことで、台紙に対し透明樹脂シートをしっかりと固定することができる。
【００２１】
よって、請求項２に記載のブリスタパックによれば、樹脂ケースに入れて陳列することもできるし、樹脂ケースに入れることなく単体でも陳列することができる。
一方、請求項３に記載のブリスタパックにおいては、透明樹脂シートの外周部分に、当該透明樹脂シートのシート材を外周端縁から凹部の高さ方向（換言すれば凹部の奥行き方向）に所定高さだけ立設してから凹部の開口に向けて屈曲させた形状を有する段差部が設けられている。
【００２２】
このため、請求項３に記載のブリスタパックによれば、この段差部により透明樹脂シート周囲を補強することができ、例えば、樹脂ケースからブリスタパックを取り出す際に、透明樹脂シートが曲がるのを防止できる。
【００２３】
なお、この段差部は、透明樹脂シートの外周の全域若しくは略全域に設けるようにするとよい。つまり、このようにすれば、透明樹脂シート周囲をより確実に補強することができる。
【００２４】
また次に、請求項４に記載のブリスタパックにおいては、透明樹脂シート及び台紙が矩形形状であり、透明樹脂シートの四隅には、当該ブリスタパックを矩形の樹脂ケース内に収納した際、台紙からの高さを樹脂ケースの内部空間の高さと一致させる位置決め用凹部が形成されている。
【００２５】
このため、請求項４に記載のブリスタパックによれば、樹脂ケース内に収納した際、樹脂ケース内で、ブリスタパックが、台紙の表・裏面と直交する方向に移動するのを防止できる。
【図面の簡単な説明】
【００２６】
【図１】実施形態のブリスタパックの外観を表す説明図であり、（ａ）はブリスタパックを正面から見た正面図、（ｂ）はブリスタパックを（ａ）の右方向から見た側面図、（ｃ）はブリスタパックを裏側から見た裏面図である。
【図２】透明樹脂シートの構成を表す説明図であり、（ａ）は透明樹脂シートを正面から見た正面図、（ｂ）は透明樹脂シートを（ａ）の右方向から見た側面図である。
【図３】台紙の構成を表す展開図である。
【図４】透明樹脂シートの突起部の台紙への装着状態を表す説明図である。
【図５】透明樹脂シートの外周部分の断面形状を表す説明図である。
【図６】変形例の台紙の構成を表す展開図である。
【図７】図４に示す透明樹脂シートの突起部の台紙への装着状態の変形例を表す説明図である。
【発明を実施するための形態】
【００２７】
以下に本発明の実施形態を図面と共に説明する。
図１に示すように、本実施形態のブリスタパック２は、透明樹脂シート１０と台紙３０とにより構成されている。
【００２８】
透明樹脂シート１０は、電気製品であるブースタ及びその付属部品を収納するために、これら各部の形状に対応した凹部１２をシート材に形成したものであり、凹部１２が形成された本体部分は矩形形状になっている。
【００２９】
そして、図２に示すように、透明樹脂シート１０において、凹部１２が形成された本体部分の外周端縁の上方の一辺には、外方向に突出した突出部１４が形成されており、本体部分の外周端縁の左右の辺には、凹部１２の開口を閉塞した台紙３０を挟み込むように折り曲げ可能な固定片１６、１８が突設されている。
【００３０】
一方、台紙３０は、透明樹脂シート１０の凹部１２の開口側シート面（つまり裏面）に配置することで、凹部１２の開口を閉塞し、凹部１２に収納された製品を保護するためのものであり、図３に示すように構成されている。
【００３１】
すなわち、台紙３０は、透明樹脂シート１０の裏面に当接されて、凹部１２の開口を閉塞する表面側台紙部３２と、この表面側台紙部３２の上方の辺に折り畳み可能に延設され、ブリスタパック２の裏面を構成する裏面側台紙部３４と、この裏面側台紙部３４の一辺（図では右側の一辺）に延設され、図に示す一点鎖線に沿って折り曲げることで、透明樹脂シート１０の凹部１２の一部を外側から囲むカバー部３６と、を備える。
【００３２】
なお、台紙３０において、図３における表面側には、製品名やその説明等が印刷されており、上記のように折り畳むことで、その印刷面がブリスタパック２の外から見えるようになっている。
【００３３】
表面側台紙部３２及び裏面側台紙部３４は、透明樹脂シート１０の本体部分に対し、突出部１４を挟持可能な長さだけ上下方向に長い矩形形状になっており、表面側台紙部３２には、透明樹脂シート１０の突出部１４を挿通するための第１の切り込み４２が形成されている。
【００３４】
従って、本実施形態のブリスタパック２においては、透明樹脂シート１０の裏面に表面側台紙部３２を配置する際、図４に示すように、第１の切り込み４２に透明樹脂シート１０の突出部１４を差し込むことで、表面側台紙部３２と裏面側台紙部３４との間に突出部１４を挟み、台紙３０に対し突出部１４を挟持させることができる。
【００３５】
また、裏面側台紙部３４には、表面側台紙部３２の裏面に重なるように折り畳まれて、透明樹脂シート１０の突出部１４を表面側台紙部３２との間で挟持した際、透明樹脂シート１０の固定片１６、１８を台紙３０の裏面側に折り曲げて、固定片１６、１８の先端２箇所を差し込むための、第２の切り込み４４が形成されている。
【００３６】
つまり、本実施形態では、透明樹脂シート１０の左右の辺から突出された固定片１６、１８の上下に、裏面側台紙部３４に形成された第２の切り込み４４に挿入可能な突片１６ａ、１６ｂ、１８ａ、１８ｂが形成されている。
【００３７】
従って、この突片１６ａ、１６ｂ、１８ａ、１８ｂを、それぞれ、裏面側台紙部３４に形成された第２の切り込み４４に挿入することで、透明樹脂シート１０の固定片１６、１８を台紙３０に固定し、透明樹脂シート１０と台紙３０とをしっかりと接合できるようになる。
【００３８】
また次に、台紙３０を構成する表面側台紙部３２及び裏面側台紙部３４において、透明樹脂シート１０の突出部１４を挟持する部分には、吊り下げ用の孔部３２ａ、３４ａが設けられている。
【００３９】
そして、透明樹脂シート１０の突出部１４には、表面側台紙部３２及び裏面側台紙部３４にて挟まれた際に孔部３２ａ、３４ａを閉塞することのないよう、孔部３２ａ、３４ａよりも大きい開口１４ａが設けられている。なお、この開口１４ａは、孔部３２ａ、３４ａを閉塞しなければよいので、孔部３２ａ、３４ａと同じ大きさにしてもよい。
【００４０】
このため、本実施形態のブリスタパック２によれば、透明樹脂シート１０の凹部１２に製品を収納した後、上記手順で透明樹脂シート１０の裏面側に台紙３０を装着すれば、上記孔部３２ａ、３４ａを介して、フックに吊り下げることができる。
【００４１】
但し、本実施形態のブリスタパック２は、図１（ｂ）に二点鎖線で示す透明な矩形の樹脂ケース４に入れて陳列することで、凹部１２内の製品が落下するのをより確実に防止するようにされている。
【００４２】
そして、このために、透明樹脂シート１０の四隅には、ブリスタパック２を樹脂ケース４内に収納した際、台紙３０からの高さを樹脂ケース４の内部空間の高さと一致させるための位置決め用凹部２２が形成されている。
【００４３】
従って、本実施形態のブリスタパック２によれば、樹脂ケース４内に収納した際、樹脂ケース４内で、ブリスタパック２が台紙３０の表・裏面と直交する方向に移動するのを防止できる。
【００４４】
また、特に、本実施形態では、透明樹脂シート１０の突出部１４を表面側台紙部３２と裏面側台紙部３４との間に挟むように構成されているので、ブリスタパック２を樹脂ケース４から取り出すときには、台紙３０において、透明樹脂シート１０の突出部１４を挟んだ部分を持つことで、凹部１２内の製品がブリスタパック２から落下するのをより確実に防止することができる。
【００４５】
ところで、ブリスタパック２を樹脂ケース４から取り出すときに、透明樹脂シート１０の外周部分が変形して、凹部１２内の製品がブリスタパック２から落下することも考えられる。
【００４６】
そこで、本実施形態では、図２に示すように、透明樹脂シート１０の外周の略全域に、透明樹脂シート１０のシート材を外周端縁から凹部の高さ方向（換言すれば凹部の奥行き方向）に所定高さだけ立設してから凹部の開口に向けて屈曲させた形状（図５に示す断面形状参照）を有する段差部２４を形成することで、透明樹脂シート１０周囲を補強している。
【００４７】
つまり、このようにすることで、樹脂ケース４からブリスタパック２を取り出すとき等に、透明樹脂シート１０が変形して、凹部１２内の製品がブリスタパック２から落下するのを防止している。
【００４８】
以上、本発明の一実施形態について説明したが、本発明は、上記実施形態に限定されるものではなく、本発明の要旨を逸脱しない範囲内にて、種々の態様をとることができる。
例えば、上記実施形態では、透明樹脂シート１０の固定片１６、１８の一部を挿入して、透明樹脂シート１０を台紙３０に固定するための第２の切り込み４４は、裏面側台紙部３４に設けるものとして説明したが、図６に示すように、表面側台紙部３２に設けるようにしてもよい。
【００４９】
そして、このようにすれば、固定片１６、１８にて、裏面側台紙部３４を挟み込むことはできないものの、固定片１６、１８が台紙３０の裏面側に現れることがないので、ブリスタパック２を裏面側から見たときの見栄えをよくすることができる。
【００５０】
また、上記実施形態においては、表面側台紙部３２に形成された第１の切り込み４２に透明樹脂シート１０の突出部１４を差し込んだ際には、図４に示すように、透明樹脂シート１０の突出部１４が曲がり、表面側台紙部３２と裏面側台紙部３４との間に綺麗に挟み込まれるものとして説明したが、図７に示すように、透明樹脂シート１０の突出部１４は変形せず、突出部１４を第１の切り込み４２に差し込んだ際には、台紙３０が変形するようになっていてもよい。
【符号の説明】
【００５１】
２…ブリスタパック、４…樹脂ケース、１０…透明樹脂シート、１２…凹部、１４…突出部、１４ａ…開口、１６，１８…固定片、１６ａ，１８ａ…突片、２２…位置決め用凹部、２４…段差部、３０…台紙、３２…表面側台紙部、３２ａ，３４ａ…孔部、３４…裏面側台紙部、３６…カバー部、４２…第１の切り込み、４４…第２の切り込み。
【図１】
2015067344.tif 000003
【図２】
2015067344.tif 000004
【図３】
2015067344.tif 000005
【図４】
2015067344.tif 000006
【図５】
2015067344.tif 000007
【図６】
2015067344.tif 000008
【図７】
2015067344.tif 000009